(57)【要約】【課題】ユーザの操作によらずに表示される画像領域を自動的に切り替える。【解決手段】撮像装置１００は、撮像素子１４と、該撮像素子の出力を用いて画像を生成する画像生成手段２０と、表示手段２８と、該画像のうち第１の画像領域と該第１の画像領域を含み第１の画像領域よりも広い第２の画像領域とを切り替えて表示手段に表示させる表示制御手段５０と、該画像に含まれる被写体を検出する被写体検出手段７４とを有する。表示制御手段は、第１及び第２の画像領域のうち一方を表示手段に表示している状態において該一方の画像領域での被写体検出手段による検出結果から得られる情報に応じて、表示手段に第１及び第２の画像領域のうち他方の画像領域を表示させる。【選択図】図１
2010028158.tif 000002
【特許請求の範囲】
【請求項１】
撮像素子と、
該撮像素子の出力を用いて画像を生成する画像生成手段と、
表示手段と、
前記画像のうち第１の画像領域と該第１の画像領域を含み前記第１の画像領域よりも広い第２の画像領域とを切り替えて前記表示手段に表示させる表示制御手段と、
前記画像に含まれる被写体を検出する被写体検出手段とを有し、
前記表示制御手段は、前記第１及び第２の画像領域のうち一方を前記表示手段に表示している状態において該一方の画像領域での前記被写体検出手段による検出結果から得られる情報に応じて、前記表示手段に前記第１及び第２の画像領域のうち他方の画像領域を表示させることを特徴とする撮像装置。
【請求項２】
前記情報は、被写体が存在するか否かであり、
前記表示制御手段は、前記第１の画像領域を前記表示手段に表示している状態において前記第１の画像領域又は該第１の画像領域のうち特定範囲に存在していた前記被写体が存在しなくなったことに応じて、前記表示手段に前記第２の画像領域を表示させることを特徴とする請求項１に記載の撮像装置。
【請求項３】
前記情報は、被写体の数であり、
前記表示制御手段は、
前記第１の画像領域を前記表示手段に表示している状態において該第１の画像領域で検出された被写体の数が減少したことに応じて前記表示手段に前記第２の画像領域を表示させる第１の機能と、
前記第１の画像領域を前記表示手段に表示している状態において該第１の画像領域で検出された被写体の数が増加したことに応じて前記表示手段に前記第２の画像領域を表示させる第２の機能と、
前記第２の画像領域を前記表示手段に表示している状態において該第２の画像領域で検出された被写体の数が増加したことに応じて前記表示手段に前記第１の画像領域を表示させる第３の機能のうち、少なくとも１つを有することを特徴とする請求項１に記載の撮像装置。
【請求項４】
前記情報は、被写体の移動速度であり、
前記表示制御手段は、前記第１の画像領域を前記表示手段に表示している状態において該第１の画像領域で検出されている被写体の移動速度が増加したことに応じて、前記表示手段に前記第２の画像領域を表示させることを特徴とする請求項１に記載の撮像装置。
【請求項５】
前記情報は、被写体が特定範囲に存在するか否かであり、
前記表示制御手段は、前記第２の画像領域を前記表示手段に表示している状態において該第２の画像領域で検出された被写体が前記特定範囲に存在することに応じて、前記表示手段に、該被写体を含む前記第１の画像領域を表示させることを特徴とする請求項１に記載の撮像装置。
【請求項６】
前記表示制御手段は、前記表示手段に表示されている画像領域を前記第１の画像領域と前記第２の画像領域との間で切り替える場合は、前記第１の画像領域を含み、かつ前記第１の画像領域よりも広く前記第２の画像領域よりも狭い第３の画像領域を、切り替え途中に表示させることを特徴とする請求項１から５のいずれか１つに記載の撮像装置。
【請求項７】
撮像素子の出力を用いて画像を生成する撮像装置の制御方法であって、
前記画像のうち第１の画像領域と該第１の画像領域を含み前記第１の画像領域よりも広い第２の画像領域とを切り替えて表示手段に表示させる表示切り替えステップと、
前記画像に含まれる被写体を検出する被写体検出ステップとを有し、
前記表示切り替えステップでは、前記第１及び第２の画像領域のうち一方を前記表示手段に表示している状態において該一方の画像領域での前記被写体検出ステップによる検出結果から得られる情報に応じて、前記表示手段に前記第１及び第２の画像領域のうち他方の画像領域を表示させることを特徴とする撮像装置の制御方法。
【発明の詳細な説明】
【技術分野】
【０００１】
本発明は、デジタルカメラやビデオカメラ等の撮像装置に関し、特に被写体検出機能を有する撮像装置に関する。
【背景技術】
【０００２】
デジタルカメラ等の撮像装置には、撮像素子からの出力を用いて生成された画像のうち一部の領域を電子処理によって拡大する電子ズーム機能を有するものが多い。電子ズーム機能を利用することで、光学ズームだけでは得られない高倍率の画像を取得することができる。
【０００３】
ただし、電子ズーム機能によって得られた高倍率の画像をディスプレイ（電子ファインダ）に表示しながら撮像（記録）を行おうとする場合に、撮像装置又は被写体の若干の動きによって被写体がフレームアウトしてしまう可能性が高い。
【０００４】
特許文献１には、撮像準備状態において、ユーザの操作により、実際に記録される画像領域よりも広い画像領域をディスプレイに表示させることが可能な撮像装置が開示されている。
【特許文献１】特開２００６−１９８８２号公報
【発明の開示】
【発明が解決しようとする課題】
【０００５】
しかしながら、特許文献１にて開示された撮像装置では、ディスプレイに表示される画像領域を切り替えるためにはユーザによるボタンの操作が必要であり、表示領域の迅速な切り替えには不向きである。
【０００６】
本発明は、ユーザの操作によらずに表示される画像領域を自動的に切り替えることができるようにした撮像装置を提供する。
【課題を解決するための手段】
【０００７】
本発明の一側面としての撮像装置は、撮像素子と、該撮像素子の出力を用いて画像を生成する画像生成手段と、表示手段と、該画像のうち第１の画像領域と該第１の画像領域を含み第１の画像領域よりも広い第２の画像領域とを切り替えて表示手段に表示させる表示制御手段と、該画像に含まれる被写体を検出する被写体検出手段とを有する。そして、表示制御手段は、第１及び第２の画像領域のうち一方を表示手段に表示している状態において該一方の画像領域での被写体検出手段による検出結果から得られる情報に応じて、表示手段に第１及び第２の画像領域のうち他方の画像領域を表示させることを特徴とする。
【０００８】
また、本発明の他の一側面としての制御方法は、撮像素子の出力を用いて画像を生成する撮像装置に適用される。該制御方法は、該画像のうち第１の画像領域と該第１の画像領域を含み前記第１の画像領域よりも広い第２の画像領域とを切り替えて表示手段に表示させる表示切り替えステップと、該画像に含まれる被写体を検出する被写体検出ステップとを有する。そして、表示切り替えステップでは、第１及び第２の画像領域のうち一方を表示手段に表示している状態において該一方の画像領域での被写体検出ステップによる検出結果から得られる情報に応じて、表示手段に第１及び第２の画像領域のうち他方の画像領域を表示させることを特徴とする。
【発明の効果】
【０００９】
本発明によれば、被写体検出手段による検出結果から得られる各種情報に応じて、表示手段に表示される画像領域が自動的に切り替えられるので、ユーザ操作を必要とすることなく、表示される画像領域の迅速な切り替えが可能な撮像装置を実現することができる。
【発明を実施するための最良の形態】
【００１０】
以下、本発明の好ましい実施例について図面を参照しながら説明する。
【実施例１】
【００１１】
図１には、それぞれ本発明の実施例１である撮像装置としてのデジタルカメラの構成を示す。
【００１２】
図１において、１００はデジタルカメラ（以下、カメラという）である。カメラ１００において、１０は撮像光学系としての撮像レンズ、１２は絞り機能を備えたシャッタである。１４は光学像（被写体像）を光電変換して電気信号を出力するＣＣＤセンサやＣＭＯＳセンサ等の撮像素子である。１６は撮像素子１４からのアナログ信号出力をデジタル信号に変換するＡ／Ｄ変換器である。
【００１３】
１８はタイミング発生部であり、撮像素子１４、 Ａ／Ｄ変換器１６及びＤ／Ａ変換器２６にクロック信号を供給する。該タイミング発生部１８は、メモリ制御部２２及び後述するシステム制御部５０により制御される。
【００１４】
２０は画像処理部（画像生成手段）であり、Ａ／Ｄ変換器１６又はメモリ制御部２２からのデジタル撮像信号に対して、画素補間処理、色変換処理、ＡＷＢ（オートホワイトバランス）処理等の各種画像処理を行う。これにより、撮像素子１４の出力を用いた画像データ（画像）が生成される。
【００１５】
また、画像処理部２０は、生成した画像データを用いて所定の演算処理を行う。システム制御部５０は、その演算結果に基づいて、露光制御部４０、フォーカス制御部４２及びフラッシュ４８を制御する。これにより、ＴＴＬ（スルー・ザ・レンズ）方式のＡＥ（自動露出）処理、ＡＦ（オートフォーカス）処理、ＥＦ（フラッシュプリ発光）処理が行われる。また、画像処理部２０は、生成した画像データを用いて所定の演算処理を行い、その演算結果に基づいて、ＴＴＬ方式のＡＷＢ（オートホワイトバランス）処理を行う。
【００１６】
メモリ制御部２２は、Ａ／Ｄ変換器１６、タイミング発生部１８、画像処理部２０、画像表示メモリ２４、Ｄ／Ａ変換器２６、メモリ３０及び圧縮・伸長部３２を制御する。
【００１７】
画像処理部２０からの画像データ又はＡ／Ｄ変換器１６からのデジタル撮像信号は、メモリ制御部２２を介して画像表示メモリ２４又はメモリ３０に書き込まれる。
【００１８】
２８はＬＣＤ等により構成される画像表示部（表示手段）である。画像表示メモリ２４に書き込まれた表示用画像データ（以下、ＥＶＦ画像という）は、後述する電子ズームＯＦＦ画像、ノーマルビュー画像又はワイドビュー画像として、Ｄ／Ａ変換器２６を介して画像表示部２８に送られる。ＥＶＦ画像が画像表示部２８で表示されることにより、電子ファインダ（ＥＶＦ）機能が実現される。
【００１９】
メモリ３０は、生成された静止画像や動画像を格納する。また、メモリ３０は、システム制御部５０の作業領域としても使用される。
【００２０】
３２は適応離散コサイン変換（ＡＤＣＴ）等により画像データを圧縮伸長する圧縮・伸長部であり、メモリ３０に格納された画像を読み込んで圧縮処理或いは伸長処理を行い、処理を終えたデータを再びメモリ３０に書き込む。
【００２１】
４０はシャッタ１２を制御する露光制御部であり、フラッシュ４８と連携したフラッシュ調光機能も有する。
【００２２】
４２はフォーカス制御部であり、システム制御部５０とともに撮像レンズ１０のオートフォーカス制御（ＡＦ処理）を行う。ＡＦ処理により、合焦目標となる被写体に対する撮像レンズ１０の合焦状態が得られる。
【００２３】
４４は撮像レンズ１０の光学ズーム動作を制御するズーム制御部である。
【００２４】
４６はレンズバリア１０２の動作を制御するバリア制御部である。フラッシュ４８は、被写体に対して照明光を照射し、ＡＦ補助光の投光機能や前述したフラッシュ調光機能も有している。
【００２５】
露光制御部４０及びフォーカス制御部４２はＴＴＬ方式を用いて制御されている。すなわち、システム制御部５０は、画像処理部２０において生成された画像データを用いた演算結果に基づいて、露光制御部４０及びフォーカス制御部４２を制御する。また、システム制御部５０は、露光制御部４０及びフォーカス制御部４２のほか、カメラ１００全体の動作を制御する。
【００２６】
さらに、システム制御部５０は、表示制御手段としても機能し、画像表示部２８でのＥＶＦ画像としての電子ズームＯＦＦ画像、ノーマルビュー画像及びワイドビュー画像の表示切り替えや、カメラ１００及び被写体に関する各種情報表示要素の表示を制御する。
【００２７】
５２はシステム制御部５０の動作用の定数、変数、コンピュータプログラム等のデータを記憶するメモリである。
【００２８】
５４は情報表示部であり、文字、画像、音声等を用いてカメラ１００の動作状態やメッセージ等を示す情報を出力する。情報表示部５４は、液晶表示素子やスピーカ等により構成されている。情報表示部５４は、一部の情報を光学ファインダ１０４を介してファインダ画面内に表示する。
【００２９】
５６は電気的に消去・記録可能な不揮発性メモリであり、ＥＥＰＲＯＭ等が用いられる。
【００３０】
６０はモードダイアルであり、撮像モード（静止画撮像モードや動画撮像モード）、再生モード等の各機能を切り替え設定するために操作される。
【００３１】
６２は撮像準備スイッチ（ＳＷ１）であり、不図示のシャッタボタンの第１ストローク操作（半押し操作）によりＯＮとなり、測光結果に基づくＡＥ処理やＡＦ処理等の撮像準備動作を開始させる。
【００３２】
６４は撮像記録スイッチ（ＳＷ２）であり、シャッタボタンの第２ストローク操作（全押し操作）によりＯＮとなり、撮像記録動作を開始させる。ここにいう撮像記録動作は、シャッタ１２の開閉動作、撮像素子１４からの撮像信号に基づいて画像処理部２０にて画像データを生成する動作、画像データをメモリ制御部２２を介してメモリ３０に書き込む動作を含む。また、メモリ３０から画像データを読み出して、圧縮・伸長部３２で圧縮し、記録媒体２００又は２１０に記録する動作も含む。これら一連の撮像記録動作は、記録用画像の取得動作ということもできる。
【００３３】
６６は表示切替スイッチであり、ユーザが画像表示部２８での表示のＯＮ／ＯＦＦを切り替える指示を入力するための操作部材である。
【００３４】
７０は各種ボタンやタッチパネル等を含む操作部であり、カメラ１００の機能選択や各種設定を行うためのメニュー画面を表示させたり、メニュー項目を決定したりするために操作される。
【００３５】
７２はユーザにより操作されるズームスイッチであり、望遠側へのズームを指示するテレスイッチと広角側へのズームを指示するワイドスイッチとにより構成されている。ズームスイッチ７２が操作されることにより、ズーム制御部４４は、撮像レンズ１０に、画角（倍率）を変更させる光学ズームを行わせる。また、ズームスイッチ７２が操作されることにより、システム制御部５０は、画像処理部２０に、生成した画像データのうち一部の画像領域の切り出しとその拡大処理を行わせる。これにより、電子ズームが行われる。
【００３６】
７４は被写体検出部（被写体検出手段）であり、画像処理部２０で生成された画像データから、パターンマッチング等の画像処理技術を用いて人物の顔等の被写体を検出する。
【００３７】
８０は電源制御部であり、電池残量の検出を行う電池検出部、電池からの電源電圧を所定の動作電圧に変換するＤＣ−ＤＣコンバータ、通電するブロックを切り替えるスイッチ部等を含む。
【００３８】
８６は電池であり、アルカリ電池やリチウム電池等の一次電池やＮｉＭＨ電池、Ｌｉ電池等の二次電池が使用される。８２，８４は電池８６とカメラ１００との電気的接続を行うためのコネクタである。
【００３９】
９０，９４はそれぞれ、記録媒体２００，２１０との通信を行うためのインタフェースであり、９２，９６はそれぞれ、記録媒体２００，２１０に接続されるコネクタである。
【００４０】
１１０は通信部であり、ＲＳ２３２Ｃ、ＵＳＢ、ＩＥＥＥ１３９４、無線通信等の通信機能を有する。
【００４１】
１１２は通信部１１０を介してカメラ１００に他の機器を接続するコネクタであり、無線通信を行う場合はアンテナが接続される。
【００４２】
記録媒体２００，２１０にはそれぞれ、カメラ１００との通信を行うためのインタフェース２０４，２１４、及びカメラ１００とインタフェース２０４，２１４との電気的接続を行うコネクタ２０６，２１６を有する。記録部２０２，２１２には、カメラ１００から出力される圧縮画像データや音声データが書き込まれる。記録部２０２，２１２は、半導体メモリや光ディスク等により構成される。
【００４３】
ここで、ＥＶＦ画像として画像処理部２０で生成された画像データのうち一部の画像領域としての第１の画像領域が電子ズームによって拡大された画像をノーマルビュー画像という。該ノーマルビュー画像を画像表示部２８の画面全体に表示させる表示モードをノーマルビューモードという。ノーマルビュー画像は、撮像によって記録される画像に相当する。
【００４４】
また、画像処理部２０で生成された画像データのうち、第１の画像領域を含み、該第１の画像領域よりも広い第２の画像領域に相当する画像をワイドビュー画像という。ワイドビュー画像を画像表示部２８の画面全体に表示させる表示モードをワイドビューモードという。第２の画像領域は、電子ズームが使用されていないときに画像表示部２８に表示される画像領域よりも狭いが、第１の画像領域よりは広い画像領域に相当する。なお、電子ズームが使用されていないときに画像表示部２８に表示される画像を、電子ズームＯＦＦ画像という。
【００４５】
なお、ノーマルビュー画像及びワイドビュー画像上には、カメラ１００の設定情報、焦点検出／測光領域を示すＡＦ／測光枠、被写体検出部７４により検出された被写体（例えば、顔）を囲む被写体（顔）枠等の情報表示要素が重畳されて表示される場合もある。
【００４６】
図２のフローチャートには、システム制御部５０にて行われる表示切り替え処理の流れを示している。この処理（制御方法）は、コンピュータプログラムに従って実行される。
【００４７】
カメラ１００の電源が投入（ＯＮ）されると、ステップＳ２００１において、システム制御部５０が起動する。システム制御部５０は、ステップＳ２００２において、画像表示部２８にＥＶＦ画像（電子ズームＯＦＦ画像）を表示する。
【００４８】
その後、システム制御部５０は、ステップＳ２００３において、ズームスイッチ７２が操作されて電子ズーム状態になったか否かを判断する。電子ズーム状態になった場合は、システム制御部５０は、ステップＳ２００４にてノーマルビューモードに入り、画像表示部２８に、電子ズーム倍率に応じたノーマルビュー画像を表示させる。
【００４９】
次に、システム制御部５０は、ステップＳ２００５において、被写体検出部７４により被写体（顔）が検出されたか否かを判断する。検出されていない場合には、ステップＳ２０１０に移行し、システム制御部５０は、ワイドビューモードに入り、画像表示部２８にワイドビュー画像を表示させる。
【００５０】
一方、ステップＳ２００５において被写体が検出された場合には、Ｓ２００６に移行し、システム制御部５０は、ノーマルビュー画像内での被写体の位置を検出する。そして、ステップＳ２００７において、システム制御部５０は、現在の表示モードがワイドビューモードかノーマルビューモードであるかを判断する。ノーマルビューモードである場合には、そのままステップＳ２００９に進み、ノーマルビューモードでのノーマルビュー画像の表示を継続する。そして、ステップＳ２０１１に進む。
【００５１】
また、現在の表示モードがワイドビューモードである場合には、ステップＳ２００８に進む。このステップにおいて、システム制御部５０は、ステップＳ２００６において検出された被写体の位置が画像表示部２８の画面の中心及びその付近を含む中心範囲（特定範囲）内であるか、すなわち被写体が中心範囲内に存在するか否かを判断する。
【００５２】
被写体が中心範囲内に存在する場合には、ステップＳ２００９に進み、表示モードをワイドビューモードからノーマルビューモードに切り替えて、画像表示部２８にノーマルビュー画像を表示させる。被写体が中心範囲内に存在しない場合には、システム制御部５０は、ステップＳ２０１０に進み、ワイドビューモードでのワイドビュー画像の表示を継続する。そして、ステップＳ２０１１に進む。
【００５３】
このように、本実施例では、被写体検出部７４の検出結果から得られる、被写体が中心範囲内に存在するか否かという情報に応じて表示モードの切り替えを行うか否かを制御する。これにより、ワイドビューモードからノーマルビューモードへの頻繁な切り替わりを防ぎ、表示モードが自動的に切り替わる機能を有するカメラ１００の使い勝手を良くしている。
【００５４】
ステップＳ２０１１では、システム制御部５０は、ＳＷ１（６２）が操作されたか否かを判断し、操作されていない場合は、ステップＳ２００５に戻る。
【００５５】
ステップＳ２００５において、再び被写体検出部７４により被写体が検出された場合はステップＳ２００６に進むが、被写体が検出されなかった場合には、ステップＳ２０１０に進む。このとき、先のルーチンにてノーマルビュー画像内に被写体が存在していた場合は、システム制御部５０は、今回その被写体が検出されなかったことにより、ノーマルビュー画像内に存在していた被写体が存在しなくなったとの情報を得ることができる。つまり、被写体の検出結果から得られる被写体が存在するか否かという情報から、被写体がノーマルビュー画像のフレームから外れたとの情報を得ることができる。
【００５６】
この場合、システム制御部５０は、ステップＳ２０１０において、表示モードをノーマルビューモードからワイドビューモードに切り替え、画像表示部２８にワイドビュー画像を表示させる。このように、システム制御部５０は、被写体がノーマルビュー画像のフレームから外れたことに応じて、該被写体が存在している可能性のあるワイドビュー画像の表示に切り替える。そして、ステップＳ２０１１に進む。
【００５７】
なお、再びステップＳ２０１１でＳＷ１（６２）が操作されておらず、次回のルーチンのステップＳ２００５，Ｓ２００８で被写体がワイドビュー画像の中心範囲にて検出された場合は、ステップＳ２００９にてノーマルビュー画像の表示に切り替わる。つまり、ワイドビュー画像の中心範囲外に存在していた被写体が中心範囲に存在するようになったとの情報に応じて、画像表示部２８に表示される画像がワイドビュー画像からノーマルビュー画像に切り替えられる。
【００５８】
このとき、被写体をワイドビュー画像の中心範囲にて検出している継続時間が所定時間に達するまで待ってから、ノーマルビュー画像の表示に切り替えるようにしてもよい。
【００５９】
ステップＳ２０１１において、ＳＷ１（６２）が操作された場合は、システム制御部５０は撮像準備動作を行い、さらにＳＷ２（６４）が操作されることに応じて、ステップＳ２０１２に進んで撮像記録動作を行う。このとき、実際に記録される画像は、ノーマルビューモード及びワイドビューモードのいずれの表示モードからの撮像記録動作であっても、ノーマルビュー画像に相当する画像である。撮像記録動作が終了すると、ステップＳ２００２に戻る。
【００６０】
図３には、図２の処理による画像表示部２８に表示される画像の遷移を示す。図３（Ａ）は、電子ズームＯＦＦ画像が表示されている状態を示す。この状態から電子ズームを行うことで、図３（Ｂ）に示すように、ノーマルビュー画像が表示される。ノーマルビュー画像内には被写体が存在しており、その顔の周囲には顔枠が重畳表示されている。
【００６１】
図３（Ｃ）に示すように、カメラ１００の移動又は被写体の移動により、ノーマルビュー画像から被写体が外れると、図３（Ｄ）に示すように、ワイドビュー画像の表示に自動的に切り替わる。これにより、被写体を再度、画像表示部２８上にて観察することができる。なお、ワイドビュー画像に重畳表示されている太枠は、図３（Ｃ）に示すノーマルビュー画像の範囲を示している。
【００６２】
以上説明したように、本実施例では、ノーマルビュー画像及びワイドビュー画像のうち一方を画像表示部２８に表示している状態において該一方の画像領域での被写体検出結果から得られる情報に応じて、他方の画像領域を表示させるよう表示モードを切り替える。これにより、ユーザ操作を必要とすることなく、表示される画像領域の迅速な切り替えが可能なカメラを実現することができる。
【００６３】
なお、本実施例では、ノーマルビュー画像内に存在していた被写体がノーマルビュー画像内に存在しなくなったことにより、ワイドビュー画像の表示に切り替える場合について説明した。しかし、ノーマルビュー画像の中心範囲（特定範囲）に存在していた被写体が、ノーマルビュー画像の周辺範囲には存在しているが中心範囲内には存在しなくなったことにより、ワイドビュー画像の表示に切り替えるようにしてもよい。
【００６４】
また、ノーマルビュー画像とワイドビュー画像とを切り替える場合に、これらの画像の中間の画角の１又は複数の画像（第１の画像領域を含み、かつ第１の画像領域よりも広く第２の画像領域よりも狭い第３の画像領域）を切り替え途中に表示させてもよい。これにより、表示画像の画角が段階的に切り替わることになり、ノーマルビュー画像とワイドビュー画像との間の切り替えをスムーズに行うことができる。
【実施例２】
【００６５】
次に、本発明の実施例２について説明する。ノーマルビュー画像及びワイドビュー画像のうち一方を画像表示部２８に表示している状態において該一方の画像領域での被写体検出結果から得られる情報としては、実施例１にて説明した情報以外にも、被写体の数がある。
【００６６】
この場合、ノーマルビュー画像を画像表示部２８に表示している状態において該ノーマルビュー画像内で検出された被写体の数が減少したことに応じて画像表示部２８にワイドビュー画像を表示させるようにしてもよい（第１の機能）。
【００６７】
また、ノーマルビュー画像を表示している状態において該ノーマルビュー画像内で検出された被写体の数が増加したことに応じてワイドビュー画像を表示させるようにしてもよい（第２の機能）。
【００６８】
さらに、ワイドビュー画像を表示している状態において該ワイドビュー画像内で検出された被写体の数が増加したことに応じてノーマルビュー画像を表示させるようにしてもよい（第３の機能）。
【００６９】
これら第１〜第３の機能のうち少なくとも１つを有することで、ユーザ操作を必要とすることなく、被写体の数の増減に応じて迅速に表示画像を切り替えることができるカメラを実現することができる。
【００７０】
第１〜第３の機能において、ノーマルビュー画像とワイドビュー画像との間の切り替え条件となる被写体の数に閾値を設けてもよい。
【００７１】
例えば、第１の機能においては、ノーマルビュー画像を表示している状態において該ノーマルビュー画像内で検出された被写体の数が第１の所定数より減少したことに応じてワイドビュー画像を表示させるようにしてもよい。また、第２の機能において、ノーマルビュー画像を表示している状態において該ノーマルビュー画像内で検出された被写体の数が第２の所定数より増加したことに応じてワイドビュー画像を表示させるようにしてもよい。さらに、第３の機能において、ワイドビュー画像を表示している状態において該ワイドビュー画像内で検出された被写体の数が第３の所定数より増加したことに応じてノーマルビュー画像を表示させるようにしてもよい。
【実施例３】
【００７２】
次に、本発明の実施例３について説明する。ノーマルビュー画像及びワイドビュー画像のうち一方を画像表示部２８に表示している状態において該一方の画像領域での被写体検出結果から得られる情報としては、被写体自体又はカメラの移動によるノーマルビュー画像内での被写体の移動速度がある。
【００７３】
この場合、ノーマルビュー画像を画像表示部２８に表示している状態において該ノーマルビュー画像内で検出されている被写体の移動速度が増加したことに応じて、画像表示部２８にワイドビュー画像を表示させるようにしてもよい。
【００７４】
ノーマルビュー画像からワイドビュー画像への切り替え条件となる被写体の移動速度に閾値を設けてもよい。
【００７５】
本実施例によれば、ユーザ操作を必要とすることなく、被写体の移動速度の増加に応じて迅速に表示画像を切り替えることができるカメラを実現することができる。
【００７６】
以上説明した各実施例は代表的な例にすぎず、本発明の実施に際しては、各実施例に対して種々の変形や変更が可能である。
【図面の簡単な説明】
【００７７】
【図１】本発明の実施例１であるカメラの構成を示すブロック図。
【図２】実施例１での表示切り替え処理の流れを示すフローチャート。
【図３】実施例１における表示切り替え処理の具体例を示す図。
【符号の説明】
【００７８】
１０  撮像レンズ
１２  シャッタ
１４  撮像素子
２０  画像処理部
２８  画像表示部
５０  システム制御部
７４  被写体検出部
１００  デジタルカメラ
【図１】
2010028158.tif 000003
【図２】
2010028158.tif 000004
【図３】
2010028158.tif 000005